(57)【要約】      （修正有）【課題】光源にＬＥＤを用いながら、光出射面における蛍光灯と同程度の光強度分布を有する照明装置、及び表示面における照明むら、色むらの発生を抑制した表示装置を提供する。【解決手段】照明装置１は、第１の面３ａ及び第１の面と反対側の第２の面３ｂを有して幅方向と直交する長手方向に延びる基板３と、基板の少なくとも第１の面３ａに長手方向に沿って実装された複数のＬＥＤモジュール３０と、ＬＥＤモジュール３０から出射された光が入射する入射面２１、及び光の出射側に膨出した曲面で主に構成され、少なくとも基板３の側方及び第１の面３ａを覆う出射面２２を有する管状の透光性部材２とを備え、透光性部材２は、基板３の第１の面３ａに直交する方向の長さが基板３の幅方向の第１の面３ａからの長さの１／２未満の長さを有する。【選択図】図２
2015133242.tif 000002
【特許請求の範囲】
【請求項１】
第１の面及び第１の面と反対側の第２の面を有して幅方向に直交する長手方向に延びる基板と、
前記基板の少なくとも前記第１の面に前記長手方向に沿って実装された複数のＬＥＤ発光部と、
前記ＬＥＤ発光部から出射された光が入射する入射面、及び、少なくとも前記基板の側方及び前記第１の面を覆うように前記光の出射側に膨出した曲面で主に構成され、前記入射面に入射した光を外部に出射する出射面を有する透光性部材とを備え、
前記透光性部材は、前記基板の前記第１の面に直交する方向の前記第１の面からの長さが前記基板の幅方向の長さの１／２未満の長さを有する、
照明装置。
【請求項２】
第１の面及び第１の面と反対側の第２の面を有して幅方向と直交する長手方向に延びる基板と、
前記基板の前記第１の面及び前記第２の面に前記長手方向に沿って実装された複数のＬＥＤ発光部と、
前記ＬＥＤ発光部から出射された光が入射する入射面、及び、少なくとも前記基板の側方及び前記第１の面を覆うように前記光の出射側に膨出した曲面で主に構成され、前記入射面に入射した光を外部に出射する出射面を有する透光性部材とを備え、
前記透光性部材は、前記基板の前記第１の面に直交する方向の前記第１の面からの長さが前記基板の幅方向の長さの１／２未満の長さを有する、
照明装置。
【請求項３】
前記入射面は、前記基板の幅方向に直交する方向を長軸、及び前記長軸に直交する方向に短軸を有する略楕円形状の一部又は全部から構成され、
前記出射面は、前記基板の幅に沿う方向に長軸、及び前記長軸に直交する方向に短軸を有する略楕円形状の一部又は全部から構成された、
請求項２に記載の照明装置。
【請求項４】
前記ＬＥＤ発光部は、前記基板の第１の面と直交する方向に最も光強度が大きい光強度分布を有する光を出射し、
前記透光性部材は、前記光強度分布を有する前記光を所定の光強度分布を有するように拡散して出射する、
を備えた請求項１から３のいずれか１項に記載の照明装置。
【請求項５】
前記透光性部材は、前記長手方向に同一の断面を有する管状の形状を有する、
請求項１から４のいずれか１項に記載の照明装置。
【請求項６】
前記透光性部材は、透光性樹脂の１００質量％に対して、０．０１質量％以上３質量％以下の光拡散材を含有する、
請求項１から５のいずれか１項に記載の照明装置。
【請求項７】
請求項１から６のいずれか１項に記載の照明装置と、
前記照明装置を収容し、開口部を有する箱型状の筐体と、
前記筐体の前記開口部にそれぞれ配置された表示部と、
を備えた表示装置。
【発明の詳細な説明】
【技術分野】
【０００１】
本発明は、照明装置及び表示装置に関する。
【背景技術】
【０００２】
従来、例えば照明看板や液晶ディスプレイ等のバックライト、照明機器等では、白熱電球や蛍光灯を光源としている。近年では、点光源であるＬＥＤ（Light Emitting Diode）の高出力化が可能になり、照明に可能な照度が得られるようになってきたことから、ＬＥＤが白熱電球や蛍光灯に代わる光源として多様化されてきている。
【０００３】
この種のＬＥＤを照明に使用するものとしては、簡素な構成で配光の乱れを抑制した照明装置が提案されている（例えば、特許文献１参照。）。
【０００４】
特許文献１記載の照明装置は、円筒状を呈する中空管と、中空管の中に配置された矩形のＬＥＤ基板と、ＬＥＤ基板の長手側端部に取着される少なくとも一対の基板支持部材とを有し、基板支持部材は、中空管の内面に当接してＬＥＤ基板を支持している。
【先行技術文献】
【特許文献】
【０００５】
【特許文献１】特開２０１３−６９６１７号公報
【発明の概要】
【発明が解決しようとする課題】
【０００６】
しかし、特許文献１記載の照明装置は、ＬＥＤから出射される光が指向性を有するものであるため、この照明装置を広告等の対象物を照明する用途に用いた場合、蛍光灯と同等の光強度分布が得られないことから、対象物を均一に照明できず、対象物における照明むら、色むら等が発生することが予測される。
【０００７】
そのため、本発明の目的は、光源にＬＥＤを用いながら、出射面において蛍光灯と同程度の光強度分布を有する照明装置を提供することにある。
【０００８】
本発明の他の目的は、表示面における照明むら、色むらの発生を抑制した表示装置を提供することにある。
【課題を解決するための手段】
【０００９】
本発明の一態様は、第１の面及び第１の面と反対側の第２の面を有して幅方向に直交する長手方向に延びる基板と、前記基板の少なくとも前記第１の面に前記長手方向に沿って実装された複数のＬＥＤ発光部と、前記ＬＥＤ発光部から出射された光が入射する入射面、及び、少なくとも前記基板の側方及び前記第１の面を覆うように前記光の出射側に膨出した曲面で主に構成され、前記入射面に入射した光を外部に出射する出射面を有する透光性部材とを備え、前記透光性部材は、前記基板の前記第１の面に直交する方向の前記第１の面からの長さが前記基板の幅方向の長さの１／２未満の長さを有する、照明装置を提供する。
【００１０】
また、本発明の他の形態は、上記目的を達成するため、前記照明装置を収容し、開口部を有する箱型状の筐体と、前記筐体の前記開口部にそれぞれ配置された表示部と、を備えた表示装置を提供する。
【発明の効果】
【００１１】
本発明によれば、光源にＬＥＤを用いながら、光出射面において蛍光灯と同等の光強度分布を有する照明装置及びそれを用いた表示装置を提供することができる。また、対象物において照明むら、色むらの発生を抑制した表示装置を提供することができる。
【図面の簡単な説明】
【００１２】
【図１】図１は、本発明の第１の実施の形態に係る照明装置の外観の一例を示す上面図である。
【図２】図２は、図１のＡ−Ａ線断面図である。
【図３】図３は、ＬＥＤモジュールの一例を示す断面図である。
【図４】図４は、ＬＥＤモジュールから出射される光線の光強度分布を模式的に示す図である。
【図５】図５は、照明装置から出射された光線の一部を示す模式図である。
【図６】図６は、本発明の第２の実施の形態に係る照明装置の断面図である。
【図７】図７は、本発明の第３の実施の形態に係る照明装置の上面図である。
【図８】図８は、本発明の第４の実施の形態に係る表示装置の一例を示す断面図である。
【図９】図９は、変形例における透光性部材の断面図であり、（ａ）、（ｂ）は、それぞれ変形例１、変形例２を示す。
【図１０】図１０は、本発明の実施例１に係る照明装置から出射される光線の光強度分布を示す図である。
【図１１】図１１は、比較例１に係る照明装置から出射される光線の光強度分布を示す図である。
【図１２】図１２は、比較例２に係る照明装置から出射される光線の光強度分布を示す図である。
【発明を実施するための形態】
【００１３】
以下、本発明の実施の形態を図面を参照して説明する。なお、同一の機能を有するものについては、同一の符号を用いてその説明を省略する。
【００１４】
［第１の実施の形態］
図１は、本発明の第１の実施の形態に係る照明装置の外観の一例を示す上面図である。
図２は、図１のＡ−Ａ線断面図である。
【００１５】
この照明装置１は、長手方向に渡って同一の断面形状を有する透光性部材２と、複数のＬＥＤ発光部の一例としてのＬＥＤモジュール３０が第１の面３ａ及び第２の面３ｂに実装され、透光性部材２の内部に透光性部材２の長手方向に沿って配置される基板３と、透光性部材２の長手方向の両端部を封止する一対の蓋部材４とを備える。
【００１６】
（透光性部材）
透光性部材２は、例えば、管状（周方向に閉じている形状）を有し、ＬＥＤモジュール３０から出射された光が入射する入射面２１と、基板３の側方及び基板３の第１の面３ａ及び第２の面３ｂを覆い、ＬＥＤモジュール３０から光の出射側に膨出した曲面で主に構成される出射面２２と、基板３の幅方向の端部を保持する１対の基板保持部２３とを有する。この基板保持部２３は、例えば凹部によって形成されている。
【００１７】
透光性部材２は、例えばＰＭＭＡ（ポリメタルクリル酸メチル）、ポリカーボネート等の透明樹脂から形成される。なお、透光性部材２は、樹脂の他にガラス等の透明性を有する材料で形成してもよい。
【００１８】
透光性部材２の外形は、基板３の幅方向（長軸方向）の長さが基板３の第１の面３ａ及び第２の面３ｂに直交する方向（短軸方向）の長さの１．５〜３倍、又は２〜２．５倍のサイズを有する。透光性部材２は、例えば、押出成形することで入射面２１、出射面２２及び基板保持部２３が一体に形成されている。
【００１９】
透光性部材２には、透光性部材２を構成する透明樹脂とは屈折率が異なる拡散材を、透明樹脂の１００質量％に対して、０．０１質量％以上３質量％以下の割合で含有させてもよい。透光樹脂に拡散材を含有させることにより、ＬＥＤモジュール３０から出射した光を均一に分散させることが可能になり、本照明装置１を後述する表示装置１０に適用した場合に、表示部１００において、色むらや発光むらの発生を抑えることができる。また、透光性部材２の出射面２２にシボ加工やブラスト加工をすることでもＬＥＤモジュール３０から出射した光を均一に分散させることが可能である。
【００２０】
入射面２１は、ＬＥＤモジュール３０から出射した光が入射する方向に凹ませた凹形状を有する。この凹形状は、基板３の幅方向に沿う方向に短軸、及び短軸に直交する方向に長軸を有する略楕円形状に形成されている。入射面２１は、ＬＥＤモジュール３０から入射した光の一部（光軸３１の方向を除く）を屈折させて出射面２２まで導光する。なお、入射面２１は、円形の曲面を有するものであってもよい。また、入射面２１は、一部に平面を含んでいてもよい。
【００２１】
出射面２２は、基板３の幅に沿う方向に長軸、及び長軸と直交する方向に短軸を有する略楕円形状に形成されている。出射面２２は、入射面２１から入射した光を屈折させることで基板３の幅方向に拡散させて出射する。
【００２２】
（基板保持部）
基板保持部２３は、上述したように凹部によって形成される。基板保持部２３は、基板３の第１の面３ａ及び第２の面３ｂと面接触し、基板３をＬＥＤモジュール３０の光軸３１が入射面２１の中心に位置するように保持する。なお、基板保持部２３は、基板３を線接触又は点接触で保持してもよい。
【００２３】
（蓋部材）
蓋部材４は、透光性部材２の出射面２２と接触する内周面を有するカバー４１と、透光性部材２の両端部を覆う口金４２とを有する。口金４２は、照明器具から電源が供給される一対の端子４２１を有する。端子４２１は、基板３の第１の面３ａ及び第２の面３ｂ上に形成された図示しない配線パターン等を介してＬＥＤモジュール３０に電力を供給する。
【００２４】
（基板）
基板３は、例えばガラスエキポシ基板等の樹脂材料で形成された基材と、基材の第１及び第２の面３ａ、３ｂに形成された配線パターンとを有する。基板３の第１及び第２の面３ａ、３ｂには、例えば、複数のＬＥＤモジュール３０が長手方向に沿って１列に、一定の間隔を設けて実装されている。ＬＥＤモジュール３０の電極が図示しない配線パターンによって後述する蓋部材４の端子４２１に接続されている。なお、基板３の第１及び第２の面３ａ、３ｂにＬＥＤモジュール３０を基板３の長手方向に沿って複数列並べてもよい。また、基板３の第１及び第２の面３ａ、３ｂのそれぞれの面に一つのＬＥＤモジュール３０を実装してもよい。
【００２５】
（ＬＥＤモジュール）
図３は、ＬＥＤモジュール３０の断面図である。ＬＥＤモジュール３０は、青色光を発するＬＥＤチップである青色ＬＥＤ素子３００と、青色ＬＥＤ素子３００が底面に配置された凹部３０１を有するパッケージ３０２と、青色光により励起されて黄色光を発する蛍光体３０４を含有して青色ＬＥＤ素子３００を封止する封止樹脂３０３と、蓋部材４の端子４２１と青色ＬＥＤ素子３００の電極とを電気的に接続する一対のリード３０５とを有し、青色光と黄色光との混合によって白色の光を出射する。
【００２６】
青色ＬＥＤ素子３００には、例えば発光波長領域が４５０〜４６０ｎｍのＧａＮ系化合物半導体から形成された素子を用いることができる。蛍光体３０４には、珪酸塩系の蛍光体、又はＹＡＧ（Yttrium Aluminum Garnet）蛍光体等のガーネット系蛍光体を用いることができる。なお、ＬＥＤモジュール３０は、白色以外の他の色を出射するものでもよく、例えば、赤、緑、青の３色のＬＥＤ素子を用いて各種のカラー光を出射するものでもよい。また、ＬＥＤ発光部としてＬＥＤモジュール３０に替えてＬＥＤ素子を基板３上に直接実装してもよく、そのＬＥＤ素子を封止樹脂で封止してもよい。
【００２７】
図４は、ＬＥＤモジュール３０から出射される光線の光強度分布を模式的に示す図である。ＬＥＤモジュール３０は、第１又は第２の面３ａ、３ｂと直交する方向に最も光強度が大きい光強度分布を有する光を出射する。また、ＬＥＤモジュール３０は、光軸３１に対する出射角θ（絶対値）が０°〜４０°で光比較的大きい光強度（例えば、最大光強度の７５％以上）となり、出射角θが４０°〜９０°で比較的小さい光強度となる光強度分布を有する。光強度が比較的大きい光線は、出射角θが０°〜４０°において最大光強度の７０％、６５％又は６０％以上としてもよい。また、光強度が比較的大きい光強度は、０°〜４５°又は０°〜５０°において最大光強度の７５％以上としてもよい。
【００２８】
（照明装置の動作）
次に、照明装置１の動作について説明する。図５は、照明装置１から出射された光線の概略を示す図である。図示しない電源から端子４２１及び図示しない配線パターンを介してＬＥＤモジュール３０に電力が供給されると、ＬＥＤモジュール３０の青色ＬＥＤ素子３００は、青色光を出射する。蛍光体３０４は、青色光を黄色光に変換する。ＬＥＤモジュール３０は、青色光と黄色光が混合することにより、白色光を出射する。
【００２９】
基板３の第１の面３ａに配置されたＬＥＤモジュール３０から出射された光線は、その出射角θに応じて、図５に示すように、透光性部材２の上方側（Ｌ１）、斜め上方側（Ｌ２、Ｌ３、Ｌ４）及び側方側から外部に出射する。
【００３０】
基板３の第２の面３ｂに配置されたＬＥＤモジュール３０から出射された光線は、その出射角θに応じて、図５に示すように、透光性部材２の下方側（Ｌ１）、斜め下方側（Ｌ２、Ｌ３、Ｌ４）及び側方側から外部に出射する。
【００３１】
（第１の実施の形態の効果）
本実施の形態によれば、以下の効果を奏する。
（１）透光性部材２の出射面２２を略楕円形状とすることにより、ＬＥＤモジュール３０から出射された出射角θ１（例えば、６０〜１００°）を有する光を基板３の幅方向に拡散した広がり角θ２（例えば、１００〜１６０°、但しθ２＞θ１）を有する光に変換して出射することができる。これにより、照明装置１を広告等の対象物を照明する用途に用いた場合、照明装置１は、蛍光灯と同等の光強度分布の光を出射するので、対象物を均一に照明することができる。そのため、対象物において照明むら、色むらの発生を抑制することができる。
（２）入射面２１を曲面とすることにより、照明装置１が出射する光の強度分布を調整することができる。そのため、より効果的に対象物を均一に照明でき、照明むら、色むらの発生をより抑制することができる。
（３）透光性部材２を管状とすることにより、透光性部材２を射出成形によって容易に製造することができる。
（４）管状部材である透光性部材２の両端部に口金４２を設けることにより、従来の蛍光管を本照明装置１に容易に置き換えることができる。
【００３２】
［第２の実施の形態］
図６は、本発明の第２の実施の形態に係る照明装置の断面図である。第１の実施の形態では、基板３の第１及び第２の面３ａ、３ｂから光を出射する構成であるが、本実施の形態では、基板３の第１の面３ａから光を出射する構成としている。以下、第１の実施の形態と異なる点を中心に説明する。
【００３３】
本実施の形態の照明装置１は、第１の面３ａにＬＥＤモジュール３０が実装された基板３と、第１の面３ａ側に膨出した曲面を有する透光性部材２Ａとを備える。
【００３４】
透光性部材２Ａは、少なくとも基板３の第１の面３ａを覆う略楕円形状の一部から形成された出射面２２Ａと、ＬＥＤモジュール３０を覆う略楕円形状の一部から形成された入射面２１と、図示しない保持部材等に接着等により取り付けられる底部２４とを有する
【００３５】
（第２の実施の形態の効果）
本実施の形態によれば、照明装置１は、基板３の第１の面３ａ側に配置された対象物を効率よく均一に照明することができる。
【００３６】
［第３の実施の形態］
図７は、本発明の第３の実施の形態に係る照明装置の断面図である。第１の実施の形態の照明装置１は、透光性部材２の両端部に端子４２１を設けていたが、本実施の形態の照明装置１Ａは、端子４２１に代えて透光性部材２の一方の端部にリード線４２３、コネクタ４３を有している。以下、第１の実施の形態と異なる点を中心に説明する。
【００３７】
本実施の形態の照明装置１Ａは、リード線４２３が貫通する口金４２と、リード線４４１の端部に設けられたコネクタ４３とを有する蓋部材４ａにより透光性部材２の一方の端部が封止されている。透光性部材２の他方の端部は、蓋部材４ｂにより封止されている。
【００３８】
コネクタ４３は、図示しない電源装置と接続し、リード線４１１を介してＬＥＤモジュール３０に電力を供給する。
【００３９】
［第４の実施の形態］
図８は、本発明の第４の実施の形態に係る表示装置の一例を示す断面図である。本実施の形態では、第１の実施の形態に係る照明装置１が配置された表示装置１０について説明する。
【００４０】
本実施の形態の表示装置１０は、両面に開口部１１ａを有する箱型状の筺体１１と、開口部１１ａに設けられた一対の表示部１００と、表示装置１０の長手方向（図８の紙面方向）に延びて表示装置１０の側面板１１ｂに固定される支持部１２と、支持部１２に取り付けられ、一対の表示部１００の内側から一対の表示部１００を照明する複数の（本実施の形態では２つ）照明装置１とを備える。なお、表示装置１０で用いる照明装置１の数は、１つでも、３つ以上でもよい。
【００４１】
筺体１１は、金属又はポリカーボネート等の樹脂材料からなり、両面の開口部１１ａを取り囲む４つの側面板１１ｂを備える。側面板１１ｂの内面には、アルミニウムシート等の金属シートが貼り付けられており、光の反射効率を高めている。なお、側面板１１ｂの内面は、金属シートの代わりに、白色塗装を施してもよい。また、筺体１１を白色の樹脂材料で形成してもよい。
【００４２】
表示部１００は、表示板１００ａ、透明板１００ｂ及び散乱板１００ｃを積層して形成する。表示板１００ａの表面には、広告等が印刷されている。透明板１００ｂ及び散乱板１００ｃは、例えば、透明樹脂、透明ガラス等からなる。透明板１００ｂは、表示板１００ａを保護する。散乱板１００ｃは、表面又は裏面に微細な凹凸を有しており、入射した光を散乱させる。
【００４３】
（表示装置の動作）
次に、表示装置１０の動作について説明する。それぞれの照明装置１に図示しない電源から電力を供給すると、それぞれの照明装置１の複数のＬＥＤモジュール３０から光が出射する。ＬＥＤモジュール３０から出射した光線Ｌ１１〜Ｌ１３は、透光性部材２によって上方、斜め上方に拡散されて照明装置１から出射する。照明装置１から上方に出射した光線Ｌ１１及び照明装置１から斜め上方に出射した光線Ｌ１２、Ｌ１３は、表示部１００に到達して表示部１００を照明する。
【００４４】
（第４の実施の形態の効果）
本実施の形態によれば、蛍光灯に近似した光強度分布を有する光を出射する照明装置１で表示部１００を照明することにより、表示部１００を均一に照明することができる。また、照明装置１のＬＥＤモジュール３０間の光強度の違いや配置等に起因する照明むらや色むらの発生を抑制することもできる。なお、第４の実施の形態では、第１の実施の形態の照明装置を表示装置１０に適用した場合について説明したが、他の実施の形態の照明装置１を表示装置１０に適用してもよい。
【００４５】
［変形例］
図９は、変形例における透光性部材の断面図であり、（ａ）、（ｂ）は、それぞれ変形例１、変形例２を示す。
【００４６】
本発明の実施の形態は、上記各実施の形態に限定されるものではなく、本発明の要旨を変更しない範囲内で種々に変形、実施が可能である。例えば、図９（ａ）に示す透光性部材２Ｂのように、透光性部材の側面に凹部を設けてもよい。これにより、透光性部材２Ｂの側面方向に出射する光を制御することができる。また、透光性部材の側面を平面としてもよい。
【００４７】
また、図９（ｂ）に示す透光性部材２Ｃのように、透光性部材の入射面２１の形状を矩形状としてもよい。
【００４８】
また、透光性部材の入射面２１を複数の円又は楕円から形成される曲面により構成してもよい。
【００４９】
また、照明装置１は、出射側から見て略正方形状のＬＥＤモジュール３０を有するものについて説明したが、出射側から見て基板３の長手方向に沿って伸びる長方形状の１つ又は複数のＬＥＤモジュールを有するものでもよい。
【００５０】
また、透光性部材２は、例えば、一部に基板３の長手方向に沿って開口を有する、管状ではない形状であってもよい。
【実施例】
【００５１】
実施例１の照明装置１について、比較例１及び比較例２の照明装置と比較しながら以下説明する。図１０は、本発明の実施例１に係る照明装置１から出射される光線の光強度分布を示す図であり、図１１は、比較例１に係る照明装置１Ｂから出射される光線の光強度分布を示す図であり、図１２は、比較例２に係る蛍光管から出射される光線の光強度分布を示す図である。なお、図１０〜図１２において、０°及び１８０°は、基板の第１の面と直交する方向である。
【００５２】
実施例１は、第１の実施の形態に対応するものであり、透光性部材２の材質は、ポリカーボネートであり、出射面の形状を長軸が２４．２ｍｍ、短軸が１７．２ｍｍである略楕円形状とした。また、実施例１において透光性部材２の入射面の形状を長軸が１３．３ｍｍ、短軸が７．８ｍｍである略楕円形状とした。
【００５３】
（比較例１）
比較例１の照明装置１Ｂの透光性部材２Ｄは、材質がポリカーボネートであり、断面形状を直径が３２ｍｍである円形とした。また、この透光性部材２Ｄの入射面の形状を円形とした。比較例１の照明装置１Ｂは、透光性部材２Ｄの形状以外は、第１の実施の形態の照明装置１と同様の構成を有する。
【００５４】
（比較例２）
比較例２には、一般的に用いられている蛍光管５を用いた。この蛍光管５の直径サイズは、３２．５ｍｍである。
【００５５】
（光強度分布の評価）
図１０と図１１の光強度分布から、実施例１の照明装置１は、比較例１の照明装置１Ｂと比較して上方及び下方の光強度分布が小さく、斜め上方、斜め下方及び側面方向の光強度分布が大きいことが確認された。
【００５６】
ここで、光強度分布の均一度を（光強度分布の最小値／光強度分布の最大値）×１００の式により求めると、実施例１の均一度は、目標の４５％以上の約５０％であるのに対し、比較例１の均一度は、約３５％であった。そのため、実施例１は、比較例１よりも光強度分布の均一度が高く、図１２に示す比較例２の光強度分布に近いことが確認された。
【００５７】
以上から、実施例１のように透光性部材２の出射面２２及び入射面２１の形状を略楕円形状とすることにより、出射面が円形である透光性部材２Ｄを用いた比較例１よりも斜め上方、斜め下方及び側面方向にＬＥＤモジュール３０が出射した光を拡散して出射できることが確認された。
【００５８】
すなわち、実施例１の照明装置は、比較例２のように蛍光管５の光強度分布に近い光強度分布を有することから、図１０に示す０°、１８０°方向に配置した表示部１００等の対象物を均一に照明することができる。
【産業上の利用可能性】
【００５９】
本発明は、液晶ディスプレイのバックライト、縦置き、斜め置き、横置き等の看板用照明装置、自動販売機用照明装置、屋内用照明装置、電気スタンド、自動車用ランプ、街路灯等に利用可能である。
【符号の説明】
【００６０】
１、１Ａ、１Ｂ…照明装置、２、２Ａ、２Ｂ、２Ｃ、２Ｄ透光性部材、３・・・基板、３ａ…第１の面、３ｂ…第２の面、４、４ａ、４ｂ・・・蓋部材、５、蛍光管、１０・・・表示装置、１１・・・筺体、１１ａ・・・開口部、１１ｂ・・・側面板、１２・・・支持部、２１・・・入射面、２２、２２Ａ・・・出射面、２３・・・基板保持部、２４・・・底部、３０・・・ＬＥＤモジュール、３１・・・光軸、４１・・・カバー、４２・・・口金、４３・・・コネクタ、１００・・・表示部、１００ａ・・・表示板、１００ｂ・・・透明板、１００ｃ・・・散乱板、３００・・・ＬＥＤ素子、３０１・・・凹部、３０２・・・パッケージ、３０３・・・封止樹脂、３０４・・・蛍光体、３０５・・・リード、４２１・・・端子、４２２…リード線、Ｌ１〜Ｌ４・・・光線、Ｌ１１〜Ｌ１３・・・光線、θ・・・出射角、θ１、θ２・・・広がり角
【図１】
2015133242.tif 000003
【図２】
2015133242.tif 000004
【図３】
2015133242.tif 000005
【図４】
2015133242.tif 000006
【図５】
2015133242.tif 000007
【図６】
2015133242.tif 000008
【図７】
2015133242.tif 000009
【図８】
2015133242.tif 000010
【図９】
2015133242.tif 000011
【図１０】
2015133242.tif 000012
【図１１】
2015133242.tif 000013
【図１２】
2015133242.tif 000014